(57)【要約】【課題】コンベヤケース内側の床面に粉粒体搬送物が付着堆積するのを防止するとともに、現状のローラチェーンを変えることなく、搬送効率を向上させたフローコンベヤを提供する。【解決手段】コンベヤケースの中を駆動スプロケット及び従動スプロケットに掛架されて循環走行する複数のアタッチメント５ａを持つ一条のローラチェーン５と、ローラチェーン５の走行を案内するコンベヤケース内側の床面に敷設されたガイドレールとを有する粉粒体搬送用フローコンベヤにおいて、アタッチメント５ａの少なくとも一つにコンベヤケース内側の床面に付着堆積した搬送物をほぐすギザ歯板５ｃが固着されており、ギザ歯板５ｃが取り付けられたアタッチメント５ａの走行方向に対して一つ後のアタッチメント５ａにほぐされた搬送物を削ぎ取るラッセル板５ｂが固着されていることによって、上記の課題を解決する。【選択図】図３
2008201573.tif 000002
【特許請求の範囲】
【請求項１】
コンベヤケースと、該コンベヤケースの中を駆動スプロケット及び従動スプロケットに掛架されて循環走行する複数のアタッチメントを持つ一条のローラチェーンと、該ローラチェーンの走行を案内するコンベヤケース内側の床面に敷設されたガイドレールとを有する粉粒体搬送用フローコンベヤにおいて、
前記アタッチメントの少なくとも一つにコンベヤケース内側の床面に付着堆積した搬送物をほぐすギザ歯板が固着されており、
前記ギザ歯板が取り付けられたアタッチメントの走行方向に対して一つ後のアタッチメントに前記ほぐされた搬送物を削ぎ取るラッセル板が固着されていることを特徴とする粉粒体搬送用フローコンベヤ。
【請求項２】
前記ローラチェーンが、２本のブシュの両端が一対の内プレートに穿孔されたブシュ孔にそれぞれ圧入され、前記ブシュの外側に遊嵌された回転可能なローラを有する内リンクと、隣接した前記内リンクのブシュ内に遊貫された２本の連結ピンの両端が、前記一対の内プレートの両外側に配置された一対の外プレートに穿孔されたピン孔にそれぞれ圧入された外リンクとを有し、前記内リンクと前記外リンクが前記連結ピンにより交互に屈曲可能に連結されているものであって、前記一対の内外プレート間の少なくとも１ヶ所に前記ガイドレール上の付着堆積物を掻き落とす掻き板を有していることを特徴とする請求項１に記載の粉粒体搬送用フローコンベヤ。
【請求項３】
前記ラッセル板の高さが、前記ローラチェーンの高さよりも高いことを特徴とする請求項１又は請求項２に記載の粉粒体搬送用フローコンベヤ。
【発明の詳細な説明】
【技術分野】
【０００１】
本発明は、セメント・化学製品・肥料・穀物等の粉粒体搬送物を、搬送物自身の相互摩擦を利用して、水平または緩やかな傾斜輸送を行う粉粒体搬送用フローコンベヤに関し、さらに詳しくは、コンベヤケース内側の床面に粉粒体搬送物が付着堆積するのを防止した粉粒体搬送用フローコンベヤに関するものである。
【背景技術】
【０００２】
従来より、セメント・化学製品・肥料・穀物等の粉粒体搬送物を、搬送物自身の相互摩擦を利用して、連続した流れとして運搬するコンベヤとして、コンベヤケースと、該コンベヤケース内を循環走行する複数のアタッチメントを持つ一条のローラチェーンと、前記コンベヤケース内側の床面及びコンベヤケース内側の上方、すなわち、ローラチェーンの戻り側に設置されたレール支持板に敷設されたローラチェーンの走行をガイドするガイドレールとを有する図１１に示すような粉粒体搬送用フローコンベヤが知られている。
【０００３】
このような粉粒体搬送用フローコンベヤ１００は、平面図である図１０（ａ）とその側面図である図１０（ｂ）に示すように、２本のブシュ（図示されていない）の両端が一対の内プレート５１０に穿孔されたブシュ孔にそれぞれ圧入され、ブシュの外側に遊嵌された回転可能なローラ５２０を有する内リンクＩＬと、隣接した内リンクＩＬのブシュ内に遊貫された２本の連結ピン５３０の両端が、一対の内プレート５１０の両外側に配置された一対の外プレート５４０に穿孔されたピン孔にそれぞれ圧入された外リンクＯＬとを有し、内リンクＩＬと外リンクＯＬが連結ピン５３０により交互に屈曲可能に連結され、長手方向に所定の間隔をあけて左右両側に取り付けられた複数のアタッチメント５５０を有する一条のローラチェーン５００が、図１１に示すようなコンベヤケース２００内をガイドレール（図示はされていない）に支持されて循環走行し、投入口２００ｄから投入した粉粒体をコンベヤケース２００内側の床面に沿って搬送し、排出口２００ｅから排出する構成を有している。このような、フローコンベヤは、密閉されたコンベヤケース２００内を搬送物が搬送されるので、外部環境に粉粒体等の搬送物が飛散されることがないため環境に優しく、粉粒体等の搬送物の搬送に広く用いられている。昨今の環境に対するユーザーニーズの高まりから、フローコンベヤに対する要求も一層高まっている。
【特許文献１】特開２０００−１１８６６９号公報（図１）
【発明の開示】
【発明が解決しようとする課題】
【０００４】
ところが、上述したようなフローコンベヤは、例えば、酸化鉄粉のような付着性の強い粉粒体を搬送する場合、コンベヤケース内側の床面に粉粒体が付着堆積し、ローラチェーンが浮き上がり、コンベヤケース床面側に設置される運び側のローラチェーンがコンベヤケース内側の床面に敷設されたガイドレールから脱線したり、コンベヤケース上側に設置される戻り側ローラチェーンをコンベヤケース内側の上部において支持するガイドレールを固定するレール支持板と運び側のローラチェーンが干渉するという課題が指摘されていた。また、大量の搬送物を搬送するためには、ローラチェーンの形状は同じで、チェーンの型番を大きくすることによって、搬送容量を２〜３倍にして対応していたが、この場合、フローコンベヤ自体が大型化し、敷設レイアウトの自由度が制限されるとともに、コスト高となっていた。
【０００５】
そこで、本発明の目的は、コンベヤケース内側の床面に粉粒体搬送物が付着堆積するのを防止するとともに、現状のローラチェーンを変えることなく、搬送効率を向上させたフローコンベヤを提供することにある。
【課題を解決するための手段】
【０００６】
請求項１に係る発明は、コンベヤケースと、該コンベヤケースの中を駆動スプロケット及び従動スプロケットに掛架されて循環走行する複数のアタッチメントを持つ一条のローラチェーンと、該ローラチェーンの走行を案内するコンベヤケース内側の床面に敷設されたガイドレールとを有する粉粒体搬送用フローコンベヤにおいて、前記アタッチメントの少なくとも一つにコンベヤケース内側の床面に付着堆積した搬送物をほぐすギザ歯板が固着されており、前記ギザ歯板が取り付けられたアタッチメントの走行方向に対して一つ後のアタッチメントに前記ほぐされた搬送物を削ぎ取るラッセル板が固着されていることによって、前記の課題を解決するものである。
【０００７】
請求項２に係る発明は、請求項１に係る発明の構成に加えて、ローラチェーンが、２本のブシュの両端が一対の内プレートに穿孔されたブシュ孔にそれぞれ圧入され、前記ブシュの外側に遊嵌された回転可能なローラを有する内リンクと、隣接した前記内リンクのブシュ内に遊貫された２本の連結ピンの両端が、前記一対の内プレートの両外側に配置された一対の外プレートに穿孔されたピン孔にそれぞれ圧入された外リンクとを有し、前記内リンクと前記外リンクが前記連結ピンにより交互に屈曲可能に連結されているものであって、前記一対の内外プレート間の少なくとも１ヶ所に前記ガイドレール上の付着堆積物を掻き落とす掻き板を有していることによって、前記の課題をさらに解決するものである。
【０００８】
請求項３に係る発明は、請求項１又は請求項２に係る発明の構成に加えて、ラッセル板の高さが、ローラチェーンの高さよりも高くしたことによって、前記の課題をより一層解決するものである。
【０００９】
本発明において、「遊嵌」とは、嵌めた物と嵌められた物との間に間隔（遊び）があることを意味しており、「遊貫」とは、遊びがある状態に端が部材から貫き出ることを意味している。また、「アタッチメント」の形状としては、さまざまな形状のものが知られているが、本発明におけるアタッチメントとしては、チェーンの高さにほぼ等しく、チェーンの走行方向に対して左右に所定の長さ突き出したものを用いることが、本発明の主要部であるギザ歯板及びラッセル板を取付け安いので、好ましい。
【発明の効果】
【００１０】
請求項１に係る発明によれば、コンベヤケースと、該コンベヤケースの中を駆動スプロケット及び従動スプロケットに掛架されて循環走行する複数のアタッチメントを持つ一条のローラチェーンと、該ローラチェーンの走行を案内するコンベヤケース内側の床面に敷設されたガイドレールとを有する粉粒体搬送用フローコンベヤにおいて、前記アタッチメントの少なくとも一つにコンベヤケース内側の床面に付着堆積した搬送物をほぐすギザ歯板が固着されており、前記ギザ歯板が取り付けられたアタッチメントの走行方向に対して一つ後のアタッチメントに前記ほぐされた搬送物を削ぎ取るラッセル板が固着されていることによって、コンベヤケース内側の床面に付着堆積した搬送物をギザ板でほぐして、ラッセル板で削ぎ取ることができるので、搬送物がコンベヤケース内側の床面に付着堆積することが防止され、搬送効率が向上する。
【００１１】
請求項２に係る発明によれば、請求項１に係る発明が奏する効果に加えて、ローラチェーンの一対の内外プレート間の少なくとも１ヶ所にコンベヤチェーン内の床面に敷設されたガイドレール上の付着堆積物を掻き落とす掻き板を有していることによって、ガイドレール上に搬送物が堆積することがないのでローラチェーンがガイドレールから脱線したり浮き上がったりすることが防止され、円滑な搬送が行われる。
【００１２】
請求項３に係る発明によれば、請求項１又は請求項２に係る発明が奏する効果に加えて
、ラッセル板の高さを、ローラチェーンの高さよりも高くしたことによって、一度に削ぎ取ることができる量を増大させることができるので、搬送効率を一層向上させることができる。
【００１３】
また、本発明によれば、既存のフローコンベヤに用いられているローラチェーンのアタッチメントにギザ歯板とラッセル板を取り付けるだけで実現できるため、現状のフローコンベヤを活用できるとともに、ローラチェーンの大きさを変えることなく搬送効率を向上させることができるので経済的である。
【発明を実施するための最良の形態】
【００１４】
本発明は、コンベヤケースと、該コンベヤケースの中を駆動スプロケット及び従動スプロケットに掛架されて循環走行する複数のアタッチメントを持つ一条のローラチェーンと、該ローラチェーンの走行を案内するコンベヤケース内側の床面に敷設されたガイドレールとを有する粉粒体搬送用フローコンベヤにおいて、前記アタッチメントの少なくとも一つにコンベヤケース内側の床面に付着堆積した搬送物をほぐすギザ歯板が固着されており、前記ギザ歯板が取り付けられたアタッチメントの走行方向に対して一つ後のアタッチメントに前記ほぐされた搬送物を削ぎ取るラッセル板が固着されているものであって、搬送物がコンベヤケース内側の床面に付着堆積することが防止され、搬送効率が向上するものであれば、その具体的な実施の形態は、如何なるものであっても何ら構わない。
【実施例１】
【００１５】
本発明の一実施例について、図１乃至図６に基づき説明する。図１は、粉粒体搬送用フローコンベヤの全体の概略を示す側面図であり、図２は、図１のII−II線における断面図である。図３は、本発明の主要な技術的特徴であるギザ歯板とラッセル板と掻き板を備えたアタッチメント付きローラチェーンの上面図である。図４は、図３のIV−IV線の位置で矢印方向に見た正面図であり、図５は、図３のV−V線の位置で矢印方向に見た正面図である。図６（ａ）は、図３の側面図である。
【００１６】
粉粒体搬送用フローコンベヤ１は、図１に概略を示すように、コンベヤケース２内に設けた駆動スプロケット３と従動スプロケット４とに掛架した一条のローラチェーン５とローラチェーン５の走行方向に直交する左右両側に、長手方向に一定の間隔を開けて取り付けられた図２及び図３に示すようなアタッチメント５ａとを有している。
【００１７】
また、粉粒体搬送用フローコンベヤ１は、アタッチメント５ａを取り付けたローラチェーン５の運び側が、コンベヤケース２内側の床面２ａ上をガイドレール２ｇに支持されて、また、上方の戻り側がガイドレール２ｈに支持されて循環走行し、図１に示すように投入口２ｄから投入された粉粒体Ｍを粉粒間の摩擦を利用し、連続した流れとして、コンベヤケース２の床面２ａに沿って搬送し、排出口２ｅから排出するものである。上方の戻り側のガイドレール２ｈは、図２に示すようにコンベヤケース２の側壁板２ｂに固着されたレール支持板２ｉにより支持されている。なお、図１における符号２ｆは、テークアップ手段であり、ローラチェーン５に伸びが生じたとき、このテークアップ手段２ｆにより従動スプロケット４を移動して張力を調整する。また、コンベヤケース２は、その天井蓋２ｃが取り外し可能になっており、メンテナンス負担を軽減している。
【００１８】
さらに、本発明の粉粒体搬送用フローコンベヤ１は、前述した構成に加えて、図３乃至図６（ａ）に示すように循環走行するローラチェーン５のアタッチメント５ａの少なくとも１ヶ所、望ましくは４ヶ所程度にコンベヤケース２内側の床面に付着堆積した搬送物をほぐすギザ歯板５ｃが固着されている。さらに、ギザ歯板５ｃが取り付けられたアタッチメント５ａの走行方向に対して一つ後のアタッチメント５ａにギザ歯板５ｃによってほぐされた搬送物を削ぎ取るラッセル板５ｂが固着されている。
【００１９】
また、ローラチェーン５のローラ５ｆの近傍、すなわち一対の内プレート５ｇ間にコンベヤケース２の床面２ａにローラチェーン５の走行を支持するために敷設されたガイドレール２ｇ上の付着堆積物を掻き落とす金属製の掻き板５ｅが溶接されている。この掻き板５ｅは、ガイドレール２ｇの表面と面一、すなわち、段差がない状態となるように一対の内プレート５ｇ間に固設されているとともに、スプロケットに干渉しない高さとしている。
【００２０】
一方、図３乃至図６（ａ）から分かるように、ギザ歯板５ｃ及びラッセル板５ｂは、ローラチェーン５のアタッチメント５ａに、連結ピン５ｈの高さ、すなわち内外プレート５ｇ、５ｉの高さの半分から下方に向けて取り付けられ、コンベヤケース２内側の床面２ａに接触するようにアタッチメント５ａの下方縁より僅かに突出するような構成をしている。また、左右の長さは、図４及び図５に示したように、アタッチメント５ａより僅かに長くすることにより、コンベヤケース２の側壁板２ｂとアタッチメント５ａとの間に残留し、固化する付着堆積物も削ぎ落とすという効果をもたらす。
【００２１】
また、ギザ歯板５ｃ及びラッセル板５ｂは、溶接又はボルトによりアタッチメント５ａに固設されているが、付着堆積物との摩擦により、ローラチェーン５本体やアタッチメント５ａより摩耗の進行が早いため、メンテナンス負担の軽減の観点からボルト固定として取り替え可能とすることが好ましい。
【００２２】
そして、ラッセル板５ｂは、図６（ａ）に示したように下辺が進行方向に若干突出した断面三角形状をしており、床面２ａの内側に付着堆積した搬送物を効率よく削ぎ取り、排出口２ｅから排出させることが可能になっており、その結果として搬送物の投入量に対する排出量の比として定義される搬送効率が向上する。この実施例においては、試行錯誤の結果、ラッセル板５ｂの斜面と底面がなす角度を輸送物の性状に合わせた最適な角度、例えば、６５度にすることによって、搬送効率を一層向上させている。さらに、図６（ｂ）に示したラッセル板５ｂ’のように先端を鋭利な形状にすることによって、削ぎ取る効率をより一層高めることができる。
【００２３】
また、ギザ歯板５ｃは、図５に示したように、下辺がのこぎり歯形状をしており、コンベヤケース２内側の床面２ａに付着堆積して固化した搬送物をほぐす機能を有している。これによって、ラッセル板５ｂ、５ｂ’による搬送物の削ぎ取り効率が高められ、ギザ歯板５ｃとラッセル板５ｂ、５ｂ’の相乗効果により搬送効率が一層向上する。
【実施例２】
【００２４】
本発明の別の実施例について、図７乃至図９に基づき説明する。図７は、本発明の主要な技術的特徴であるラッセル板６ｂを備えたアタッチメント６ａ付きのローラチェーン６の上面図である。図８は、図７のVIII−VIII線の位置で矢印方向に見た正面図であり、図９は、図７の側面図である。なお、実施例２の粉粒体搬送用フローコンベヤは、実施例１として説明したものとラッセル板の形状が異なるだけであるので、その他の部材については、参照符号を実施例１の頭文字を５から６に変えて示し、個別の説明については省略する。
【００２５】
実施例２の粉粒体搬送フローコンベヤは、ラッセル板６ｂが、図７乃至図９に示したように下辺が進行方向に若干突出した断面三角形状をしており、床面２ａの内側に付着堆積した搬送物を効率よく削ぎ取り、排出口２ｅから排出させることが可能になっている。そして、その高さをローラチェーン６の高さより高く、好ましくは、ローラチェーン６の高さの２倍程度にすることによって、搬送物の投入量に対する排出量の比として定義される搬送効率を一層向上させることができる。また、この実施例においては、試行錯誤の結果
、ラッセル板６ｂの斜面と底面がなす角度を輸送物の性状に合わせた最適な角度、例えば、７５度にすることによって、搬送効率をさらに向上させている。
【図面の簡単な説明】
【００２６】
【図１】本発明が適用される粉粒体搬送用フローコンベヤの全体を表す概略図。
【図２】図１のII−II線における断面図。
【図３】実施例１に用いられるローラチェーンの上面図。
【図４】図３のIV−IV線の位置で矢印方向に見た正面図。
【図５】図３のV−V線の位置で矢印方向に見た正面図。
【図６】（ａ）が図３の側面図であり、（ｂ）がラッセル板の別の形状を示す側面図。
【図７】実施例２に用いられるローラチェーンの上面図。
【図８】図７のVIII−VIII線の位置で矢印方向に見た正面図。
【図９】図７の側面図。
【図１０】従来の粉粒体搬送用フローコンベヤ用ローラチェーン。
【図１１】従来の粉粒体搬送用フローコンベヤの斜視図
【符号の説明】
【００２７】
１、１００  ・・・  粉粒体搬送用フローコンベヤ
２、２００  ・・・  コンベヤケース
２ａ  ・・・  床面
２ｂ  ・・・  側壁板
２ｃ  ・・・  天井蓋
２ｄ、２００ｄ  ・・・  投入口
２ｅ、２００ｅ  ・・・  排出口
２ｆ  ・・・  テークアップ手段
２ｇ、２ｈ  ・・・  ガイドレール
２ｉ  ・・・  レール支持板
３、３００  ・・・  駆動スプロケット
４  ・・・  従動スプロケット
５、６、５００  ・・・  ローラチェーン
５ａ、６ａ、５５０  ・・・  アタッチメント
５ｂ、６ｂ  ・・・  ラッセル板
５ｃ、６ｃ  ・・・  ギザ歯板
５ｅ、６ｅ  ・・・  掻き板
５ｆ、６ｆ、５２０  ・・・  ローラ
５ｇ、６ｇ、５１０  ・・・  内プレート
５ｈ、６ｈ、５３０  ・・・  連結ピン
５ｉ、６ｉ、５４０  ・・・  外プレート
ＩＬ  ・・・  内リンク
ＯＬ  ・・・  外リンク
【図１】
2008201573.tif 000003
【図２】
2008201573.tif 000004
【図３】
2008201573.tif 000005
【図４】
2008201573.tif 000006
【図５】
2008201573.tif 000007
【図６】
2008201573.tif 000008
【図７】
2008201573.tif 000009
【図８】
2008201573.tif 000010
【図９】
2008201573.tif 000011
【図１０】
2008201573.tif 000012
【図１１】
2008201573.tif 000013